(57)【要約】【課題】電子、陽子、中性子のスピンはどうして１／２なのか。原子の軌道エネルギーはどのようになっているか。特性Ｘ線と殻の関係はどのようになっているか。【解決手段】電子、陽子、中性子のスピンが１／２である事は、電子のラブ、陽子のラブ、中性子のラブが公転し、その周囲を光子が回転しているからです。原子核にＡ個の核子がある場合、陽子のラブと中性子のラブは１／２×１０−１５ｍの軌道を公転しているので、その軌道のエネルギーは１．５Ａ×１０−１０Ｊです。原子の軌道エネルギーはα×１０βｍの場合、０．７５Ａ÷α×１０−２５−βＪです。自由電子のエネルギーはおよそ最外殻のエネルギーであるとみなす事ができる。それで、最外殻の軌道をα×１０βｍであるとすると、０．７５Ａ÷α×１０−２５−βＪ＝８×１０−１４Ｊで、最外殻の軌道は１０．７Ａ×１０−１１ｍです。最外殻の理論値と最長の特性Ｘ線の軌道を比較すると、殻の軌道の大きさと特性Ｘ線の軌道の大きさの関係が解ります。【選択図】　図１
2004032992.tif 000002
【特許請求の範囲】
【請求項１】
電子、陽子、中性子のスピンは１／２である。これは陽子の場合、陽子の中央に陽子のラブがあり、陽子のラブが一定方向に公転し、その周囲を光子が一定方向に回転しているからである。外部の光子は一定方向に進み、内部の光子は一定方向に進む。例えば外部の光子が上の方向だけに進むとすると、内部の光子は下の方向だけに進む。光子の回転は外部だけが観察され、内部は観察されない。それで、陽子の光子の回転は上の方向だけに進む半回転だけが観察される。陽子の回転は半回転となって観察される。それ故、スピンは１／２である。電子の場合も、中性子の場合も同じ原理である。電子のラブは公転し、電子のラブの周囲を光子が一定方向に回転しているため、外部は上か下かのどちらかより観察されない。
中間子のスピンは０である。これは２つの粒子のラブが逆方向に公転しているので、ラブの周囲を回転している光子の外部は、１つは上向きに、１つは下向きになり、方向が逆になる。そして、回転力は同じであるのでスピンは０となる。
【請求項２】
電子のラブ、陽子のラブ、中性子のラブ（＝陽子のラブ）はいかなる手段によっても破壊されない。加速器で陽子を高速にしてぶつけても、それによってラブは破壊されない。ラブはどのようなエネルギーによっても破壊されない。ラブはビッグバンのエネルギーによっても破壊されない。ラブはビッグバンの以前にできたものである。ビッグバンの以前、陽子のラブは陽子星でできた。電子のラブは電子星でできた。陽子星とは陽子のラブの集合体である。電子星とは電子のラブの集合体である。ビッグバンのとき、周囲の環境が絶対０度であるためエネルギーの差を縮めるため、ラブは自分の周囲に光子を着た。その光子がビッグバンのエネルギーである。陽子のラブは７．３３×１０−３０ｍの軌道を自転し、１．５×１０−１０Ｊのエネルギーを作っている。電子のラブは１．３７５×１０−２８ｍの軌道を自転し８×１０−１４Ｊのエネルギーを作っている。そして、陽子のラブは１／２×１０−１５ｍの軌道を公転する。電子のラブは電子が回転している殻の軌道を公転している。
【請求項３】
光子が回転しながら走る事を簡単に説明すると、光子は半回転し、次の半回転は走っている時空の進行方向に向かって行われるので波型になる。
【請求項４】
原子核の大きさを１０−１５ｍとすると、陽子のラブと中性子のラブ（＝陽子のラブ）は１／２×１０−１５ｍの軌道を公転している。原子核の中にＡ個の核子が存在するとする。核子のエネルギーは１．５×１０−１０Ｊであるから１．５Ａ×１０−１０Ｊである。それで、１／２×１０−１５ｍの軌道のエネルギーは１．５Ａ×１０−１０Ｊである。１×１０−１５ｍの軌道のエネルギーは０．７５Ａ×１０−１０Ｊである。
【請求項５】
原子の軌道のエネルギーは原子核の１０−１５ｍの軌道のエネルギーが０．７５Ａ×１０−１０Ｊであるから、軌道がα１０βｍである場合、その軌道のエネルギーは０．７５Ａ×１０−１０Ｊ×１０−１５ｍ÷α１０βｍ＝０．７５Ａ×１０−２５Ｊ÷α１０β＝０．７５Ａ÷α×１０−２５−βＪである。
【請求項６】
電子は自分に合ったエネルギーの軌道を回転する。自由電子は最外殻から放出するので自由電子の軌道を最外殻とする。電子の最外殻の軌道エネルギーは、自由電子のエネルギーである８×１０−１４Ｊの軌道である。その軌道をα×１０βｍとすると、各元素の最外殻の軌道は、０．７５Ａ÷α×１０−２５−βＪ＝８×１０−１４Ｊで、β＝−１１、　α≒１０．７×Ａである。各元素の電子の最外殻の軌道は１０．７×Ａ×１０−１１ｍである。
【請求項７】
各元素の電子の最外殻の軌道と最長の特性Ｘ線の軌道を比較すると、原子番号の大きな元素ほど最外殻の軌道と最長の特性Ｘ線の軌道の大きさは近い値になる。それで、最外殻よりもっと小さな殻の軌道の大きさは、より特性Ｘ線の軌道の大きさに近い値になるので、殻の軌道の大きさは特性Ｘ線の大きさであるとみなすことができる。各元素の内側の殻の軌道の大きさ≒特性Ｘ線の軌道の大きさ　である。
最外殻÷最長の特性Ｘ線の値により、電子が存在する理論値に最長の特性Ｘ線の軌道の値がどれだけ近いかを知る事ができる。原子番号４０番のＺｒは２７．７１％であり、ほぼ理論値に近い。それで、Ｚｒの最長の特性Ｘ線（＝Ｌ系α）の軌道の大きさが殻の軌道の大きさとほぼ等しいので、それより内側の殻の軌道は特性Ｘ線の軌道にやや等しい。
即ち、原子番号４０番のＺｒから９５番のＡｍまで、Ｌ系αの特性Ｘ線の軌道の大きさ≒Ｏ殻の軌道の大きさ。Ｌ系βの特性Ｘ線の軌道の大きさ≒Ｎ殻の軌道の大きさ。Ｌ系γの特性Ｘ線の軌道の大きさ≒Ｍ殻の軌道の大きさ。Ｋ系αの特性Ｘ線の軌道の大きさ≒Ｍ殻の軌道の大きさ。Ｋ系βの特性Ｘ線の軌道の大きさ≒Ｌ殻の軌道の大きさ　である。
原子番号５６番のＢａは２０．３１％であり、ほぼ理論値に近い。それで、Ｂａの最長の特性Ｘ線（＝Ｍ系γ）の軌道の大きさが殻の軌道の大きさとほぼ等しい。それで原子番号５６番のＢａより原子番号が大きい元素の特性Ｘ線の軌道の大きさは全て殻の軌道の大きさに近い値である。
即ち、Ｍ系αの特性Ｘ線の軌道の大きさ≒Ｐ殻の軌道の大きさ。Ｍ系βの特性Ｘ線の軌道の大きさ≒Ｏ殻の軌道の大きさ。Ｍ系γの特性Ｘ線の軌道の大きさ≒Ｎ殻の軌道の大きさ　である。
Ｋ系の特性Ｘ線は、ＬｉからＮｅまではα１α２はＬ殻の軌道を公転するラブの周囲に付加している特性Ｘ線であり、ＮａからＵまではα１α２はＭ殻の軌道を公転するラブの周囲に付加している特性Ｘ線であり、β１β３β２はＬ殻の軌道を公転するラブの周囲に付加している特性Ｘ線である。
外側の殻の軌道を公転している電子のラブの周囲に付加する特性Ｘ線の軌道は大きく、内側の殻の軌道を公転している電子のラブの周囲に付加する特性Ｘ線の軌道は小さい。
外側の殻の軌道を公転している電子のラブの周囲に付加する特性Ｘ線の数は多く、内側の殻の軌道を公転している電子のラブの周囲に付加する特性Ｘ線の数は少ない。
Ｋ系のβ１とβ３は同じ軌道の特性Ｘ線である。Ｋ系のβ１＝β３である。Ｋ系のβ１とβ３はＬ殻２ｐの軌道を公転している電子のラブの周囲に付加している特性Ｘ線である。Ｋ系のβ２はＬ殻２ｓを公転している電子のラブの周囲に付加している特性Ｘ線である。
【請求項８】
各元素の電子のラブは特性Ｘ線の軌道とほぼ同じ大きさの殻の軌道を公転している。その電子のラブの周囲を特性Ｘ線と連続Ｘ線は回転している。特に原子番号の大きな元素ほど、又、内側の殻ほど殻の軌道の大きさは特性Ｘ線の軌道大きさに近い値となる。
【請求項９】
Ｋ系、Ｌ系、Ｍ系の特性Ｘ線ができる原理は、電子が遷移した殻に特性Ｘ線の軌道が存在しないので排斥される事である。例えば、Ｋ系の特性Ｘ線とは電子がＫ殻に遷移したとき、Ｋ殻にＫ系の特性Ｘ線の軌道が存在しないので、排斥された特性Ｘ線である。Ｋ殻の軌道はＫ系の特性Ｘ線より軌道が小さいので、Ｋ系の特性Ｘ線は排斥される。Ｌ系特性Ｘ線とＭ系特性Ｘ線も同様である。
【請求項１０】
原子核に近い電子ほどエネルギー密度は高い。電子のエネルギー密度は（電子のラブのエネルギー＋電子のラブが公転する事によってできるエネルギー＋特性Ｘ線と連続Ｘ線のエネルギー）÷電子の大きさ　である。電子のラブのエネルギーは特性Ｘ線と連続Ｘ線のエネルギーより大きい。電子のラブのエネルギーは一定である。これは電子のラブが自転することによってできるエネルギーです。電子のラブが公転する事によってできるエネルギーは内側の殻ほど大きい。電子のラブの周囲に付加する特性Ｘ線のエネルギーは内側の殻ほど大きい。それで、電子のエネルギーは原子核に近い電子ほど大きい。電子のエネルギーは、Ｌ殻の電子のエネルギー＞Ｍ殻の電子のエネルギー＞Ｎ殻の電子のエネルギー　である。電子の大きさは最も大きい特性Ｘ線の軌道の大きさであるとみなすことができる。特性Ｘ線の軌道は特性Ｘ線の波長の１／２である。それで、Ｋ系の特性Ｘ線の軌道の大きさ＜Ｌ系の特性Ｘ線の軌道の大きさ＜Ｍ系の特性Ｘ線の軌道の大きさ＝Ｌ殻の電子のラブに付加する特性Ｘ線の軌道の大きさ＜Ｍ殻の電子のラブに付加する特性Ｘ線の軌道の大きさ＜Ｎ殻の電子のラブに付加する特性Ｘ線の大きさ＝Ｌ殻の電子の大きさ＜Ｍ殻の電子の大きさ＜Ｎ殻の電子の大きさ　である。ゆえに、Ｌ殻の電子のエネルギー密度＞Ｍ殻の電子のエネルギー密度＞Ｎ殻の電子のエネルギー密度　である。
【発明の詳細な説明】
【０００１】
【発明の属する技術分野】
本発明は素粒子に関する。
【０００２】
【従来の技術】
従来、電子、陽子、中性子のスピンは１／２である事の理由。電子、陽子、中性子の中央にあるラブ。原子核と原子の軌道のエネルギー。電子が回転する最外殻の算出方法。電子のラブが公転する殻の軌道と特定Ｘ線の関係。原子核に近い電子のエネルギー密度と遠い電子のエネルギー密度。これらのことについてはまだ知られていない。
【０００３】
【発明が解決しようとしている課題】
１　電子、陽子、中性子のスピンは１／２であるのことの原理。
２　電子のラブ、陽子のラブとはどのようなものであるか。
３　光子が回転しながら走る事を簡単に説明するとどうなるか。
４　原子核はどのようになっているのか。
５　原子の軌道のエネルギーはどのようになっているか。
６　各元素の電子の最外殻の軌道はどうして求められるか。
７　各元素の電子のラブの軌道（殻）の大きさと特性Ｘ線の軌道の大きさの関係はどのようになっているのか。
８　原子の中の電子はどのようになっているのか。
９　特性Ｘ線の発生メカニズム。
１０　電子のエネルギー密度はどのようになっているか。
【０００４】
【課題を解決するための手段】
電子、陽子、中性子のスピンが１／２である事から、電子のラブ、陽子のラブ、中性子のラブ（＝陽子のラブ）が存在する事が証明される。それで、電子のラブ、陽子のラブとはどのようなものであるかを解く。光子は回転して走る事は、２００３年２月２８日に特許出願したので、その簡単な説明方法を図示する。陽子、中性子、中間子、電子の軌道エネルギーについては２００２年８月２８日に特許出願した。それで今回は核子数がＡ個である原子の軌道エネルギーについて考える。原子核の１／２を陽子のラブ、中性子のラブが公転しているので、その軌道のエネルギーは１．５Ａ×１０−１０Ｊである。原子核を１０−１５ｍとすると、１／２×１０−１５ｍの軌道は１．５Ａ×１０−１０Ｊである。これによって原子の軌道エネルギーのマップができる。電子のラブは自分のエネルギーにあった軌道を公転している。その軌道は最外殻の軌道である。自由電子のエネルギーに一番近い殻は最外殻の軌道であるからである。これで、各元素の最外殻の軌道が計算できる。最外殻の軌道と、その軌道を公転している電子のラブに付加している特性Ｘ線の軌道との関係を調べる事によって、殻の軌道と特性Ｘ線の軌道の関係が理解できる。電子のエネルギー密度は電子のラブのエネルギーが一定であるから、電子の大きさによって異なる。電子の大きさは電子のラブに付加する特性Ｘ線の軌道であるとみなすことができる。これから殼の電子エネルギー密度はどのようであるか理解できる。
【０００５】
【発明の実施態様】
１　電子、陽子、中性子のスピンが１／２である事の原理。
電子、陽子、中性子のスピンは１／２である。これは電子、陽子、中性子の外部を回転している光子が同じ方向に回転しているということです。１回転は１／２回転＋１／２回転です。その１／２回転より現れていないということです。それでは回転になりません。それで、もう１／２回転を探さなければいけません。１／２回転は隠れています。それは内部の回転であるからです。内部の回転と外部の回転はいったいどうしてできるのでしょう。それはその回転が２重回転になっているからです。２重回転とは回転しているものの周りを更に回転しているという事です。２重回転でなければスピンが１／２である現象はおきません。電子、陽子、中性子は２重回転をしているのです。それではどのように２重回転をしているのか、図に基づき説明します。電子のラブは殻の軌道を公転しています。電子のラブに付加している特性Ｘ線や連続Ｘ線はラブの周囲を回転しています。電子のラブは一定方向に公転しています。それで、Ｘ線も一定の方向に回転しています。外部のＸ線は全て上方向に半回転すると、内部のＸ線は全て下方向に半回転します。
観察するときは外部だけが観察されます。内部は隠れているので決して観察されません。それで、電子のスピンは１／２です。陽子の場合も同様である。中性子の場合も同様です。
中間子の場合は、２つの粒子のラブの公転方向は逆になっている。それで、外部の光子の回転は一方は上向きに回転し、他方は下向きに回転する。そして、回転力は同じである。それで、方向が逆で回転力は同じであるのでスピンは０になる。
２　電子のラブ陽子のラブとはどのようなものあるか。
１で電子のラブと陽子のラブの存在が証明された。それでは陽子のラブ、電子のラブとはいかなるものであるか。陽子のラブと電子のラブはビッグバンの以前に存在した。陽子のラブは陽子星という陽子のラブの集合体として存在した。電子のラブは電子星という電子のラブの集合体として存在した。陽子のラブと電子のラブはどのように強力な力によっても破壊されない。どのように強大なエネルギーによっても破壊できない。加速器で高速にした陽子をぶつけても陽子のラブは破壊されない。陽子のラブと電子のラブはとっても小さいので、どのような金属板でも通り抜けてしまう。Ｅ＝ｍｃ２のエネルギーは陽子のラブの周囲に付加している光子のエネルギーである。電子のラブの周囲に付加しているエネルギーである。ビッグバンの時、陽子のラブと電子のラブは自分の周りに光子を着た。環境は絶対０度であり、エネルギーの差が大きかったからである。陽子星と電子星が爆発し、陽子のラブと電子のラブが飛び散ったとき、陽子のラブと電子のラブは回転し光子をつくりそれを自分の周囲に着た。陽子のラブと電子のラブが作った光子がビッグバンの光である。光子はエネルギーである。
３　光子は回転しながら走る事を簡単に説明するとどうなるか。
光子はａのように半回転する。その後にｂのように半回転する。これは光子が一定の位置で回転するときはｂ′のように半回転するのであるが、走る時、時空はｃの方向に進むのでｂとなる。このように光子はａとｂをくり返して波型に進む。光子が一定の位置で回転するときはａｂ′となり、時空がｃ方向に進むとき（走るとき）はａｂと波型になる。
４　原子核はどのようになっているか。
原子核にＡ個の核子が存在するとする。陽子のラブと中性子のラブは７．３３×１０−３０ｍの軌道を回転して１．５×１０−１０Ｊのエネルギーを作っている。そして、原子核の１／２の軌道を公転している。原子核が１０−１５ｍであるとすると、Ａ個の陽子のラブと中性子のラブは１／２×１０−１５ｍの軌道を一緒に公転している。
それで、１／２×１０−１５ｍの原子核の軌道エネルギーは１．５Ａ×１０−１０Ｊである。
１０−１５ｍの軌道エネルギーは０．７５Ａ×１０−１０Ｊである。
５　原子の軌道エネルギーはどのようになっているか。
原子の軌道のエネルギーは原子核の１／２×１０−１５ｍの軌道に全ての陽子のラブと中性子のラブが公転しているので、その軌道のエネルギーが原子の軌道のエネルギーを作っている。１０−１５ｍの軌道のエネルギーは０．７５Ａ×１０−１０Ｊであるから、α×１０βｍの軌道のエネルギーは０．７５Ａ×１０−１０Ｊ×１０−１５ｍ÷（α×１０βｍ）＝０．７５Ａ×１０−２５Ｊ÷（α×１０β）＝０．７５Ａ÷α×１０−２５−βＪ　　である。
これで原子の軌道のエネルギーマップができる。
１×１０−１５ｍは０．７５Ａ×１０−１０Ｊ。１×１０−１４ｍは０．７５Ａ×１０−１１Ｊ。１×１０−１３ｍは０．７５Ａ×１０−１２Ｊ。１×１０−１２ｍは０．７５Ａ×１０−１３Ｊ。１×１０−１１ｍは０．７５Ａ×１０−１４Ｊ。１×１０−１０ｍは０．７５Ａ×１０−１５Ｊです。
６　各元素の電子の最外殻の軌道はどうして求められるか。
電子はどの軌道に存在するか。自由電子は最外殻から放出する。自由電子のエネルギーは最外殻の軌道エネルギーに近い。それで自由電子のエネルギー＝最外殻の軌道のエネルギーとする。その最外殻の軌道をα１０βｍとすると、０．７５Ａ÷α×１０−２５−βＪ＝８×１０−１４Ｊ　β＝−１１α＝Ａ÷１０．７である。
原子核がＡ個である元素の最外殻の軌道はＡ÷１０．７×１０−１１ｍである。７　各元素の電子のラブの軌道（殻）の大きさと特性Ｘ線の軌道の大きさの関係はどのようになっているのか。
各元素の最外殻の軌道と最長の特性Ｘ線の軌道を比較する。
最外殻の軌道と最長の特性Ｘ線の軌道の関係はどのようであるか。
最外殻÷最長の特性Ｘ線の値を調べる。これは最外殻の軌道の大きさが最長の特性Ｘ線の軌道の大きさにどれ位近い値であるかを示す。
2004032992.tif 000003
2004032992.tif 000004
2004032992.tif 000005
2004032992.tif 000006
この表で理解できる事は、
原子番号の大きな元素ほど最外殻の軌道と最長の特性Ｘ線の軌道の大きさは近い値になります。内側の殻になればなる程、殻の軌道の大きさと特性Ｘ線の軌道の大きさは近い値になります。
それで、内側の殻の軌道の大きさ≒特性Ｘ線の大きさ　です。
原子番号４０番のＺｒのＬ系α１の特性Ｘ線の軌道は０．３０３５×１０−９ｍで、理論値の２７．７１×１０−２×１００＝２７．７１（％）である。ＺｒのＬ系αはＯ殻の軌道であるとみなすことができる。それで、Ｏ殻より内側の殻の軌道の大きさは、より特性Ｘ線に近い値である。それで次のことが理解できる。原子番号４０番のＺｒから９５番のＡｍまで、
Ｌ系αの特性Ｘ線の軌道の大きさ≒Ｏ殻の軌道の大きさ。
Ｌ系βの特性Ｘ線の軌道の大きさ≒Ｎ殻の軌道の大きさ。
Ｌ系γの特性Ｘ線の軌道の大きさ≒Ｍ殻の軌道の大きさ。
Ｋ系αの特性Ｘ線の軌道の大きさ≒Ｍ殻の軌道の大きさ。
Ｋ系βの特性Ｘ線の軌道の大きさ≒Ｌ殻の軌道の大きさ。
原子番号５６番ＢａのＭ系γの特性Ｘ線の軌道は０．６３５×１０−９ｍであり、理論値の２０．３１×１０−２×１００＝２０．３１（％）である。ＢａのＭ系γの特性Ｘ線の軌道の大きさは最長の特性Ｘ線の軌道の大きさであるとみなすことができる。それで、原子番号５６番Ｂａより原子番号が大きい元素の特性Ｘ線の軌道の大きさは、全て殻の軌道の大きさに近い値です。
Ｍ系αの特性Ｘ線の軌道の大きさ≒Ｐ殻の軌道の大きさ。
Ｍ系βの特性Ｘ線の軌道の大きさ≒Ｏ殻の軌道の大きさ。
Ｍ系γの特性Ｘ線の軌道の大きさ≒Ｎ殻の軌道の大きさ。
Ｋ系の特性Ｘ線はＬｉからＮｅまではα１α２はＬ殻の軌道を公転するラブに付加している特性Ｘ線であり、ＮａからＵまではα１α２はＭ殻の軌道を公転しているラブに付加している特性Ｘ線であり、
β１β３β２はＬ殻を公転しているラブに付加している特性Ｘ線である。
外側の殻を公転している電子のラブの周囲に付加している特性Ｘ線の軌道は大きく、内側の殻を公転している電子のラブの周囲に付加している特性Ｘ線の軌道は小さい。
外側の殻を公転している電子のラブの周囲に付加している特性Ｘ線の数は多く、内側の殻を公転している電子のラブの周囲に付加している特性Ｘ線の数は少ない。Ｋ系のβ１とβ３は同じ軌道の特性Ｘ線である。Ｋ系β１＝Ｋ系β３である。Ｋ系β１とβ３はＬ殻２ｐの軌道を公転する電子のラブに付加している特性Ｘ線である。Ｋ系β２はＬ殻２ｓの軌道を公転している電子のラブに付加している特性Ｘ線である。
８　それでは、原子の中で電子はどのような状態になっているか。
各元素の電子のラブは特性Ｘ線の軌道とほぼ同じ大きさである殻の軌道を公転している。そして、電子のラブの周囲を特性Ｘ線と連続Ｘ線が回転している。原子番号の大きな元素ほど、又、内側の殻ほど、殻の軌道の大きさと特性Ｘ線の軌道の大きさは近い値となる。
９　特性Ｘ線の発生メカニズム。
電子が遷移するとき特性Ｘ線が放出する。この原理は原子核に近い軌道ほどエネルギーが大きいからです。Ｋ殻の軌道エネルギーはＬ殻の軌道エネルギーより大きい。Ｌ殻の軌道エネルギーはＭ殻の軌道エネルギーより大きい。エネルギーの大きい殻の軌道を公転する電子のラブはより高エネルギーとなり周囲により高エネルギーの特性Ｘ線とＸ線を付加している。軌道が小さいからです。それで、軌道の大きな殻から遷移した電子のラブとラブに付加している特性Ｘ線は軌道の小さな殻に遷移すると、遷移した殻の電子のラブとラブに付加する特性Ｘ線のエネルギーはもっと大きく、軌道は小さいので、Ｘ線は排斥されます。
遷移した殻の電子のラブとラブに付加している特性Ｘ線のエネルギー＞Ｋ系、Ｌ系、Ｍ系の特性Ｘ線のエネルギー
遷移した殻の電子のラブとラブに付加している特性Ｘ線の軌道の大きさ＜Ｋ系、Ｌ系、Ｍ系の特性Ｘ線の軌道の大きさ
それで、Ｋ系、Ｌ系、Ｍ系の特性Ｘ線は排斥される。
特性Ｘ線の排斥から殻の軌道を考えた場合。
Ｋ殻にはＫ系の特性Ｘ線の軌道は無い。Ｌ殻にはＬ系の特性Ｘ線の軌道は無い。Ｍ殻にはＭ系の特性Ｘ線の軌道は無い。
Ｋ殻の軌道はＫ系の特性Ｘ線の軌道より小さい。Ｌ殻の軌道はＬ系の特性Ｘ線の軌道より小さい。Ｍ殻の軌道はＭ系の特性Ｘ線の軌道より小さい。
それで、Ｋ系の特性Ｘ線はＫ殻から排斥される。Ｌ系の特性Ｘ線はＬ殻から排斥される。Ｍ系の特性Ｘ線はＭ殻から排斥される。
１０　電子のエネルギー密度はどのようになっているか。
原子核に近い電子ほどエネルギー密度は高い。
電子のエネルギー密度は　（電子のラブのエネルギー＋電子のラブが公転する事によってできるエネルギー＋特性Ｘ線のエネルギー＋連続Ｘ線のエネルギー）÷電子の大きさ　である。
電子のラブのエネルギーは特性Ｘ線と連続Ｘ線より大きい。電子のラブのエネルギーは一定である。これは電子のラブが自転することによってできるエネルギーである。電子のラブが公転する事によってできるエネルギーは内側の殻ほど大きい。電子のラブの周囲に付加する特性Ｘ線のエネルギーは内側の殻ほど大きい。それで、電子のエネルギーは原子核に近い電子ほど大きい。電子のエネルギーは、Ｌ殻の電子のエネルギー＞Ｍ殻の電子のエネルギー＞Ｎ殻の電子のエネルギーである。
電子の大きさは最も大きい特性Ｘ線の軌道の大きさであるとみなすことができる。特性Ｘ線の軌道は特性Ｘ線の波長の１／２である。それで　Ｋ系の特性Ｘ線の軌道の大きさ＜Ｌ系の特性Ｘ線の軌道の大きさ＜Ｍ系の特性Ｘ線の軌道の大きさ＝Ｌ殻の電子のラブに付加する特性Ｘ線の軌道の大きさ＜Ｍ殻の電子のラブに付加する特性Ｘ線の軌道の大きさ＜Ｎ殻の電子のラブに付加する特性Ｘ線の軌道の大きさ＝Ｌ殻の電子の大きさ＜Ｍ殻の電子の大きさ＜Ｎ殻の電子の大きさ　である。ゆえに、Ｌ殻の電子のエネルギー密度＞Ｍ殻の電子のエネルギー密度＞Ｎ殻の電子のエネルギー密度　である。
【０００６】
【発明の効果】
本発明によって電子、陽子、中性子のスピンが１／２であり、中間子のスピンが０である原理が理解できた。そして、電子のラブ、陽子のラブが公転している事その周囲を光子が一定方向に回転していることが理解できた。スピンは電子のラブ、陽子のラブ、中性子のラブが存在している事を証明している。ラブとはビッグバンの以前にできたもので、ビッグバンのエネルギー（光子）はそのラブの周囲に光子が付加するためにおきた現象です。周囲の環境が絶対０度でエネルギーの差が大きかったからです。それでラブはどのようなエネルギーにも、どのような力にも破壊されない。Ｅ＝ｍｃ２とはラブの周囲を回転している光子がばらばらに解体されたエネルギーである。ラブは小さいのでどのような物でも容易に通り抜ける。光子が回転しながら進む事を簡単に説明できた。陽子のラブと中性子のラブが公転することによって原子のエネルギーができ原子の軌道エネルギーマップができる。電子のラブは自分のエネルギーの軌道を公転する事から、電子のラブが公転する最外殻の軌道を求める式ができた。その式で算出した値と最長の特性Ｘ線との比較から、元素番号の大きさ全ての殻の軌道と、内側の殻の軌道はやや特性Ｘ線の軌道と同じである事が理解できた。電子のエネルギー密度は原子核に近い殻の軌道を回転する電子程高いことを証明できた。
【図面の簡単な説明】
【図１】電子のラブは一定方向に公転し、その周囲をＸ線が一定方向に回転する。外部のＸ線は上の方向にだけ回転している。
【図２】中間子の場合、粒子の外部は光子が１つは上向き１つは下向きに回転し、方向が逆で、回転力は同じであるからスピンは０である。
【図３】光子は走る時ａのように半回転し、そのあと時空はｃのほうに進むので、ｂのように半回転する。光子は一定の位置で回転するときはａｂ′のように回転する。
【図４】原子核の中は、陽子のラブと中性子のラブはＡ個１／２×１０−１５ｍの軌道を公転し、１．５Ａ×１０−１０Ｊのエネルギーである。
【図５】原子核のエネルギーが原子の軌道のエネルギーとなっている。原子の軌道のエネルギーはα×１０βｍの場合、０．７５Ａ÷α×１０−２５−βＪである。原子の軌道エネルギーのマップを示す。
【図６】電子の最外殻の軌道は１０．７×Ａ×１０−１１ｍである。この値と最長特性Ｘ線を比較すると内側の殻の軌道の大きさはほぼ特性Ｘ線の軌道の大きさに等しい事が解る。内側の殻の電子のラブは特性Ｘ線の軌道とほぼ同じ大きさの軌道を公転し、特性Ｘ線や連続Ｘ線はラブの周囲を回転している。電子の大きさは特性Ｘ線の軌道の大きさとみなすことができる。。
Ｚｒの場合、最外殻の理論値は８．４１×１０−１１ｍであり、これは最長の特性Ｘ線の軌道の２７．７％である。最長の特性Ｘ線はＬ系αで０．３０３５×１０−９ｍである。
【図７】ＮａからＵまでのＫ系α１とα２はＭ殻の軌道を公転している電子のラブに付加する特性Ｘ線であり、β１β３はＬ殻２ｐの軌道を公転している電子のラブに付加している特性Ｘ線であり、β２はＬ殻２ｓの軌道を公転している電子のラブに付加している特性Ｘ線である。
【符号の説明】
１　ｔ１時の電子のラブ　　　１′　ｔ２時の電子のラブ　　　２　Ｘ線
３　Ｘ線の軌道　　　４　電子のラブの軌道　　　５　ｔ１時の中間子のラブ
５′ｔ２時の中間子のラブ　　　６　中間子のラブの軌道　　　７　光子
８　光子の軌道　　　９　陽子のラブ　　　　１０　中性子のラブ
１１　ラブの公転軌道　　　１２　電子のラブ　　　１３　最長の特性Ｘ線
１４　連続Ｘ線　　　１５　特性Ｘ線　　　１６　特性Ｘ線の軌道
１７　Ｌ殻　　　１８　Ｍ殻　　　１９　Ｎ殻　　　２０　Ｌ系β２の特性Ｘ線
２１　Ｌ系β２の特性Ｘ線の軌道　　　２２　Ｌ系β３の特性Ｘ線
２３　Ｌ系β１の特性Ｘ線　　　２４　Ｌ系β３の特性Ｘ線の軌道
２５　Ｌ系β１の特性Ｘ線の軌道　　　２６　Ｋ系α１の特性Ｘ線
２７　Ｋ系α２の特性Ｘ線　　　２８　Ｋ系α１の特性Ｘ線の軌道
２９　Ｋ系α２の特性Ｘ線の軌道　　　３０　Ｌ殻２ｓの軌道
３１　Ｌ殻２ｐの軌道　　　３２　Ｍ殻
【図１】
2004032992.tif 000007
【図２】
2004032992.tif 000008
【図３】
2004032992.tif 000009
【図４】
2004032992.tif 000010
【図５】
2004032992.tif 000011
【図６】
2004032992.tif 000012
【図７】
2004032992.tif 000013